(57)【特許請求の範囲】
【請求項１】
消火液を充填し、センサーと消火液噴射ノズルを下方に向けて備え、異常な高温を感知して天井から消火液を散布する型式の消火液タンクを、天井に開口部を設けて天井裏に固定した消火器取付構造において、
消火液タンクの外縁部近傍の最も離れた２方から係合部が外向きの鉤状係合具が上方に延出し、
両端が水平板からなり、中央部に天井の開口部に嵌入できる凹部を形成し、該凹部の底面が、両端の水平板と平行な一対のブリッジを有し、
ブリッジの凹部の底面と水平板とが接合する垂直下降部の一方の部位に、中空の柱体を上方に延出し、柱体から延出した水平な連結部と、該連結部の先端から上方に延出した鉤受板を備えた高さ調節機能を有する鉤受係合具が延出し、該鉤受板は中央部に上記鉤状係合具より幅広い係合面を残して両端に角状突起が延出しており、
ブリッジの両端の水平板は固定すべき天井上面の隣接する野縁間に安定して載置できる長さであることを特徴とする消火器取付構造。
【請求項２】
中空な柱体の上下面に、ボルト頭部がブリッジの凹部の底面にくるように、下方からボルトを貫通し、
鉤受係合具から延出した移動板がボルトに螺合し、ボルトの回転と共に上下動する高さ調節機能を有することを特徴とする請求項１記載の消火器取付構造。
【請求項３】
消火液タンクの最大径部より下に、消火液タンクを囲繞するベルトを設け、該ベルトから鉤状係合具が延出していることを特徴とする請求項１又は２記載の消火器取付構造。
【請求項４】
一対のブリッジの互いに離れた外側縁に、垂直な押え板を上方に延出したことを特徴とする請求項１ないし３のいずれかに記載する消火器取付構造。
【請求項５】
１対のブリッジの鉤受係合具に、消火液タンクの鉤状係合具が係合した状態で、消火液タンクが凹部の底面の、該凹部の底面と接触するおそれのある部位を円弧状に切欠いたことを特徴とする請求項１ないし４のいずれかに記載する消火器取付構造。
【請求項６】
センサーと噴射ノズルが突出できる貫通孔を設けたカバーで、室内側から天井開口部を覆って塞ぐと共に、センサー貫通孔より大きい径の固定締結部材頭部を有する固定締結部材をセンサー基部と螺合することにより、カバーと、天井板と野縁とブリッジの水平板とを一体に固定締結することを特徴とする請求項１ないし５のいずれかに記載する消火器取付構造。
【請求項７】
天井裏が消火器の高さより低い場合に、消火器の天井裏に入りきれない部位を天井板下に突出させ、この突出部を覆い得る深いカバーを使用することを特徴とする請求項１ないし６のいずれかに記載する消火器取付構造。
【発明の詳細な説明】
【０００１】
【発明が属する技術分野】
本発明は消火液を充填し、消火液噴射ノズルを下方に向けて備え、異常な高温を感知して天井から消火液を散布する型式の自動消火器を、天井裏に装着するための簡易な消火器取付構造に関する。
【０００２】
【従来の技術】
従来、消火器を天井に取付ける場合、消火器を固定するための特殊な野縁を、別途設置し、この野縁に消火器を取付けていた。或いは天井上方の上階の床構造体から棒状部材により天井上面に吊すことにより、消火器を天井に固定していた。また、特開平１２−１１６８１０号公報に、天井上面の野縁間にわたされて、その野縁上面に載置されるＬ字状アングルからなる本体取付け具を用いる方法が開示されている。いずれにしても、消火液噴射ノズルとセンサーを残して消火器本体を天井裏に収納する型式が外観上好ましい。
【０００３】
【発明が解決しようとする課題】
しかしながら、消火器固定用の特別な野縁や棒状部材を設けることは消火器の装着に多大な手間を要する。また、特開平１２−１１６８１０号公報に開示された方法も消火器本体から突出したＬ字状アングルを使用するため、天井に穿設した開口部から挿入するには大型になり、天井裏への挿入作業が困難になるという問題があった。更に、近時、消火器本体を天井裏に収納しきれない不十分なスペースしかない家屋もあり、この場合、消火器全体が露出することになり、外観上の問題もあった。
【０００４】
しかも、野縁には木製野縁と鋼板野縁があり、一般に鋼板野縁は４０〜６０ｍｍ程度であり、木製野縁は１０〜３０ｍｍ程度である。また天井裏の高さも千差万別であり、これらを含む各種の条件下で簡易な方法で自動消火器を装着する必要があった。
【０００５】
【課題を解決するための手段】
本発明は上記課題を解決することを目的とし、その構成は、天井取付型自動消火器取付構造において、消火液タンクの外縁部近傍の最も離れた２方から係合部が外向きの鉤状係合具が上方に延出し、両端が水平板からなり、中央部に天井の開口部に嵌入できる凹部を形成し、該凹部の底面が、両端の水平板と平行な一対のブリッジを有し、ブリッジの凹部の底面と水平板とが接合する垂直下降部の一方の部位に、中空の柱体を上方に延出し、柱体から延出した水平な連結部と、該連結部の先端から上方に延出した鉤受板を備えた高さ調節機能を有する鉤受係合具が延出し、該鉤受板は中央部に上記鉤状係合具より幅広い係合面を残して両端に角状突起が延出しており、ブリッジの両端の水平板は固定すべき天井上面の隣接する野縁間に安定して載置できる長さであることを特徴とする。
【０００６】
すなわち、本発明は鉤受係合具を備えた１本の中空の柱体を、凹部の底面の一方の端に片寄せて設けた２本のブリッジからなる。ブリッジは両端が水平板からなり、中央部に天井の開口部に嵌入できる凹部を形成し、該凹部の底面が両端の水平板と平行であり、ブリッジの両端の水平板は固定すべき天井上面の隣接する野縁に安定して載置できる長さである。
消火液タンクの外縁部の近傍の最も離れた２方から係合部が外向きの鉤状係合具が上方に延出し、この鉤状係合具と係合し、上下動可能な鉤受係合具を中空の柱体に設けることにより消火液タンクは確実にブリッジに懸架される。
このブリッジを使用することにより、長いブリッジと重い消火器本体とを別個に天井裏に挿入することができ、鉤を鉤受板に懸架するのみで取付けることができる。
【０００７】
中空の柱体は鉤受係合具を設けた側は開放されており、鉤受係合具を上下動させる手段が設けられている。その結果、野縁の厚さに無関係に最適の部位に消火液タンクを懸架設置できる。
また、天井裏のスペースが不十分な場合には、消火器本体の天井裏に入る部分のみを収納し、残りの部分は突出した状態で取付けることが可能である。この場合には、中空の柱体を備えたブリッジを天井裏に設置できるように、中空の柱体の長さを短くしたブリッジを使用すればよい。消火器が天井裏に入り切れない場合には、消火器下面を隠すためのカバーを深くすることにより外観の問題も解決することができる。
【０００８】
【発明の実施の形態】
図１は消火液タンク以外の部材の取付け状態を示す天井裏から見た斜視図であり、図２はカバー以外の部材の取付け状態を示す天井裏から見た斜視図であり、図３はカバー以外の部材の取付状態を示す側面図である。
【０００９】
１は天井板であり、２は消火液タンクを自由に装入できる開口部である。開口部２は隣接する２本の野縁３の間に設ける。４はブリッジであり両端に水平板５を有し、中央部に凹部の底面６を有し、水平板５はほぼ垂直な垂直下降部８を介して、水平板５と平行な凹部の底面６と連結している。ブリッジ４は２本を一対として用いる。一対のブリッジ４の外方にはブリッジの側面から垂直に立ち上がる押え板７を延出する。したがって、押え板７は図１に示すように、長いブリッジの側端部の外方の全面から延出している。ブリッジ４は等しい幅であるが、凹部の底面６において、後述する断面円形の消火液タンク２０を収納する都合上、円弧状に切欠くことが好ましい。この切欠き９によりブリッジ４と消火液タンクの距離を縮めてコンパクトに収納される。
【００１０】
ブリッジ４の垂直下降部８と押さえ板７に密着させて中空の柱体１０を垂直に設ける。中空の柱体１０は互いに垂直な２面が垂直下降部８及び押え板７にボルト止めされ、斜面は両端を残して空洞な断面垂直三角柱形である。三角柱の開口部は中心部を向く。中空の柱体１０の下端は凹部の底面６であり、上端は三角形の板を固定する。三角形の板の中央部に穿孔１１を設け、穿孔１１の真下の凹部の底面６にも穿孔を設け、両穿孔に凹部の底面６からボルトを貫通する。ボルトの頭部１２は図３に示した。この状態でボルトの頭部１２を回転しても何ら移動する部材はない。
【００１１】
中空の柱体１０の内周を摺動できる形状の移動板１３を設け、移動板１３にはナット（図示を省略した）を設けてボルトと螺合させる。その結果、ボルトの頭部１２を回転すると移動板は上下にゆっくりと摺動する。移動板１３と垂直に、且つ後述する鉤状係合具１６の鉤部分が余裕で入れる間隔を設けて鉤受板１４を設ける。鉤受板１４は鉤状係合具１６の鉤部分より長いことを要する。鉤受板１４の両端から長い角状突起１５が延出する。両方の角状突起１５の間には鉤状係合具１６より幅広く、振動により鉤状係合具１６が外れるおそれのない長さの係合部位を要する。鉤受板１４は連結部１７を介して移動板１３と連結している。すなわち、移動板１３、連結板１７、鉤受板１４及び角状突起１５は１枚の鋼板を切断し折曲げることによって製造することができ、これを総称して鉤受係合具１８とする。
【００１２】
消火液タンク２０の外周の最も離れた位置に一対の鉤状係合具１６を設ける。鉤状係合具１６は消火液タンクを支持、懸架し、先端を外方に鉤状に折曲げてある。鉤状係合具１６がより確実に消火液タンクを懸架するためには、消火液タンクの最大径部の下に鋼板製のベルトを鉢巻き状に囲繞して、このベルトから鉤状係合具１６を延出することが好ましい。
鉤状係合具１６の先端の鉤は鉤受板１４に懸架し、鉤先端は連結部１７に達しない。このようにして、野縁３にブリッジを載せ、消火液タンクを懸架するだけでブリッジ４の鉤受係合具１８に、消火液タンク２０が安定に固定される。
【００１３】
消火液タンク２０の高さの調整はボルトの頭部１２を回転させることにより行われる。すなわち、ボルトの頭部１２の回転により、鉤受係合具１８が鉤状係合具１６を懸架したまま上下動し、重い消火液タンクを上下動し、最適の位置に設置することができる。ボルトによる高さ調整は天井の下面から行われるので作業が極めて容易になる。或いはボルトを使用せず、中空の柱体１０の内部に多くの段を設け、この段の中で最適の段に移動板１３を棚のように差し込むことによっても高さの調整は行われる。水平位置の調整はブリッジ４の位置の微調整によって行われる。
【００１４】
本発明における消火器の構造は、炭酸ガスボンベ２１の周囲に、ドーナツ状の消火液タンク２０を設け、消火液を充填したものである。下面に突出するセンサー２２が感知した異常な高温は、炭酸ガスボンベ２１の下部にある種々の部材を介して炭酸ガスボンベを開封し、炭酸ガスの圧力により消火液タンク２０に充填された消火液を下面に突出している噴射ノズル２３から激しく噴射する。図１ないし図３に示すように、消火液タンク２０の下面はカバー２４により開口部２と共に覆われているがセンサー２２及び噴射ノズル２３と対応する部位にセンサー貫通孔２５及び噴射ノズル貫通孔２６がそれぞれ穿設されている。３０は上階床構造である。
【００１５】
センサー２２の基部にはオネジ２７を設ける。別にこのオネジ２７と螺合するメネジを有する固定締結部材２８を設け、その固定締結部材頭部２９をセンサー貫通孔２５より広径とする。同時にセンサー貫通孔２５は固定締結部材のメネジ部分を自由に通過させる径であることを要する。
【００１６】
自動消火器を天井裏に取付けるにあたっては、消火液タンク２０の最大径部分の下方にベルト１９を巻き付け、このベルトから２個の鉤状係合具１６を鉤を外側にして互いに最も離れた位置に固定する。鋼鉄その他の金属製のベルトを取付けることにより、鉤状係合具１６は安定して消火液タンク２０を懸架することができる。
消火液タンク２０が通過でき、カバー２４より狭い開口部２を天井の野縁３と野縁の間に穿設する。次いで１本の中空の柱体１０を有するブリッジ４を開口部２から２本挿入し、中空の柱体１０を上にして水平板５を野縁３に載せる。このときそれぞれのブリッジ４に備えられた鉤受板１４同士が向かい合う位置とし、中空の柱体１０は互いに最も離れた位置とする。
【００１７】
開口部２から消火器を挿入し、鉤状係合具１６を鉤受係合具１８に懸架する。このとき、懸架し易いようにブリッジ４の位置を適宜調整する。消火器が懸架された後はボルトの頭部１２を回転させて消火器の高さを調整する。しかる後、固定締結部材２８を外して、センサー２２と噴射ノズル２３が突出するようにカバー２４を被せる。次いでカバー２４の外側から固定締結部材２８を、センサー上部のオネジ２７にカバーを介して螺合していく。螺合が進むと固定締結部材頭部２９はセンサー貫通孔２５より径が大きいので、消火器と結合してカバーを天井板に固定する。消火器が天井板に固定されるとブリッジ４も移動不可能になり、固定部材の全てが安定に固定される。
【００１８】
天井裏のスペースは各家屋、部屋によって異なり、特にマンション等では消火器全体を収納するのに不十分な場合が多い。この場合には天井裏に入るだけ消火器を挿入し、入り切れない部分は突出させておいても外観は極端に向上する。
ブリッジ４に固定された中空の柱体１０は図面においては長く描いたが、低い天井裏の場合には、装着した状態で炭酸ガスボンベ２１より低くなるようにすることが好ましい。消火液タンク２０が天井板１からはみ出した状態になることがあるが、その場合にはより深いカバー２４を用いれば、全部収納された場合とあまり変わらない外観で取付けることができる。
【００１９】
【発明の効果】
本発明により、天井噴射型の自動消火器の天井裏への取付作業が極めて容易になった。更に、天井への作業は上向き作業であるだけでも困難であり、更に天井内部で複雑な作業を行う必要がなくなった。
【図面の簡単な説明】
【図１】  図１は消火液タンク以外の部材の取付け状態を示す、天井裏から見た斜視図である。
【図２】  図２はカバー以外の部材の取付け状態を示す天井裏から見た斜視図である。
【図３】  図３はカバー以外部材の取付状態を示す側面図である。
【符号の説明】
１  天井板
２  開口部
３  野縁
４  ブリッジ
５  水平板
６  凹部の底面
７  押え板
８  垂直下降部
９  切欠き
１０  中空の柱体
１２  ボルト頭部
１３  移動板
１４  鉤受板
１５  角状突起
１６  鉤状係合具
１７  連結部
１８  鉤受係合具
１９  ベルト
２０  消火液タンク
２１  炭酸ガスボンベ
２２  センサー
２３  噴射ノズル
２４  カバー
２５  センサー貫通孔
２６  噴射ノズル貫通孔
２７  オネジ
２８  固定締結部材
２９  固定締結部材頭部
【図１】
0003849858.tif 000002
【図２】
0003849858.tif 000003
【図３】
0003849858.tif 000004